(57)【要約】【課題】入場処理が行われずに入場した場合においても、ユーザによる処理により退場を可能にすることができる。【解決手段】所定のアプリケーションを起動するアプリケーション起動部２５と、アプリケーションの起動により、区間情報格納部１５から所定の区間内の入場ゲート及び退場ゲートからの入退場を許可する区間情報の読み出しを行う読み出し部２３と、アプリケーションの起動により、位置情報を取得する位置情報取得部２６と、位置情報が区間情報で規定される区間内であるか否かの判定を行う位置判定部２７（区間内判定部）と、位置情報が区間情報で規定される区間内である判定された場合には、ＩＣカード１に設けられると共に、退場処理時に区間情報と共に退場ゲートからの退場の許可を得るために用いられる第２の入場情報が格納される第２の入場情報格納部１７に対して、第２の入場情報の書き込みを行う書き込み部２３と、を備える。【選択図】図２
2011113284.tif 000002
【特許請求の範囲】
【請求項１】
所定の区間内の入場ゲート及び退場ゲートからの入退場を許可する区間情報が格納された区間情報格納部と、入場処理時に前記区間情報に基づいて前記入場ゲートへの入場が許可されることにより書き込まれ、退場処理時に前記区間情報と共に前記退場ゲートからの退場の許可を得るために用いられる第１の入場情報が格納される第１の入場情報格納部とを備えるＩＣカードと連携する携帯端末において、
所定のアプリケーションを起動するアプリケーション起動部と、
前記アプリケーションが起動された場合には、前記区間情報格納部から前記区間情報の読み出しを行う読み出し部と、
前記アプリケーションが起動された場合には、位置情報を取得する位置情報取得部と、
前記位置情報が前記区間情報で規定される区間内であるか否かの判定を行う区間内判定部と、
前記位置情報が前記区間情報で規定される区間内である判定された場合には、前記ＩＣカードに備えられると共に、退場処理時に前記区間情報と共に前記退場ゲートからの退場の許可を得るために用いられる第２の入場情報が格納される第２の入場情報格納部に対して、前記第２の入場情報の書き込みを行う書き込み部とを備えることを特徴とする携帯端末。
【請求項２】
表示部と、
前記アプリケーション起動部により前記アプリケーションが起動した場合には、前記ＩＣカードをかざす旨を表示させるように前記表示部に要求する要求部とを備え、
前記書き込み部は、前記要求部からの要求により前記表示部における表示がされると共に前記ＩＣカードがかざされたことを条件にして、前記第２の入場情報の書き込みを行うことを特徴とする請求項１記載の携帯端末。
【請求項３】
所定の区間内の入場ゲート及び退場ゲートからの入退場を許可する区間情報が格納された区間情報格納部と、入場処理時に前記区間情報に基づいて前記入場ゲートへの入場が許可されることにより書き込まれ、退場処理時に前記区間情報と共に前記退場ゲートからの退場の許可を得るために用いられる第１の入場情報が格納される第１の入場情報格納部とを備えるＩＣカードと連携する携帯端末の制御方法において、
所定のアプリケーションを起動するアプリケーション起動工程と、
前記アプリケーションの起動により、前記区間情報格納部から前記区間情報の読み出しを行う読み出し工程と、
前記アプリケーションの起動により、位置情報を取得する位置情報取得工程と、
前記位置情報が前記区間情報で規定される区間内であるか否かの判定を行う区間内判定工程と、
前記位置情報が前記区間情報で規定される区間内である判定された場合には、ＩＣカードに設けられると共に、退場処理時に前記区間情報と共に前記退場ゲートからの退場の許可を得るために用いられる第２の入場情報が格納される第２の入場情報格納部に対して、前記第２の入場情報の書き込みを行う書き込み工程とを備えることを特徴とする携帯端末の制御方法。
【請求項４】
所定の区間内の入場ゲート及び退場ゲートからの入退場を許可する区間情報が格納された区間情報格納部と、入場処理時に前記区間情報に基づいて前記入場ゲートへの入場が許可されることにより書き込まれ、退場処理時に前記区間情報と共に前記退場ゲートからの退場の許可を得るために用いられる第１の入場情報が格納される第１の入場情報格納部とを備えるＩＣカードと連携する携帯端末の制御プログラムにおいて、
所定のアプリケーションを起動するアプリケーション起動手段と、
前記アプリケーションの起動により、前記区間情報格納部から前記区間情報の読み出しを行う読み出し手段と、
前記アプリケーションの起動により、位置情報を取得する位置情報取得手段と、
前記位置情報が前記区間情報で規定される区間内であるか否かの判定を行う区間内判定手段と、
前記位置情報が前記区間情報で規定される区間内である判定された場合には、ＩＣカードに設けられると共に、退場処理時に前記区間情報と共に前記退場ゲートからの退場の許可を得るために用いられる第２の入場情報が格納される第２の入場情報格納部に対して、前記第２の入場情報の書き込みを行う書き込み手段とを備えることを特徴とする携帯端末の制御プログラム。
【請求項５】
所定の区間内の入場ゲート及び退場ゲートからの入退場を許可する区間情報が格納された区間情報格納部と、入場処理時に前記区間情報に基づいて前記入場ゲートへの入場が許可されることにより書き込まれ、退場処理時に前記区間情報と共に前記退場ゲートからの退場の許可を得るために用いられる第１の入場情報を格納する第１の入場情報格納部と、退場処理時に前記区間情報と共に前記退場ゲートからの退場の許可を得るために用いられる第２の入場情報を格納する第２の入場情報格納部とを有するＩＣチップと、
所定のアプリケーションを起動するアプリケーション起動部と、
前記区間情報格納部から前記区間情報の読み出しを行う読み出し部と、
前記アプリケーションの起動により位置情報を取得する位置情報取得部と、
前記位置情報が前記区間情報で規定される区間内であるか否かの判定を行う区間内判定部と、
前記区間内であると判定された場合には、前記第２の入場情報格納部に前記第２の入場情報の書き込みを行う書き込み部とを備えることを特徴とする携帯端末。
【請求項６】
所定の区間内の入場ゲート及び退場ゲートからの入退場を許可する区間情報が格納された区間情報格納部と、入場処理時に前記区間情報に基づいて前記入場ゲートへの入場が許可されることにより書き込まれ、退場処理時に前記区間情報と共に前記退場ゲートからの退場の許可を得るために用いられる第１の入場情報を格納する第１の入場情報格納部と、退場処理時に前記区間情報と共に前記退場ゲートからの退場の許可を得るために用いられる第２の入場情報を格納する第２の入場情報格納部とを有するＩＣチップを備える携帯端末の制御方法において、
所定のアプリケーションを起動するアプリケーション起動工程と、
前記区間情報格納部から前記区間情報の読み出しを行う読み出し工程と、
前記アプリケーションの起動により位置情報を取得する位置情報取得工程と、
前記位置情報が前記区間情報で規定される区間内であるか否かの判定を行う区間内判定工程と、
前記区間内であると判定された場合には、前記第２の入場情報格納部に前記第２の入場情報の書き込みを行う書き込み工程とを備えることを特徴とする携帯端末の制御方法。
【請求項７】
所定の区間内の入場ゲート及び退場ゲートからの入退場を許可する区間情報が格納された区間情報格納部と、入場処理時に前記区間情報に基づいて前記入場ゲートへの入場が許可されることにより書き込まれ、退場処理時に前記区間情報と共に前記退場ゲートからの退場の許可を得るために用いられる第１の入場情報を格納する第１の入場情報格納部と、退場処理時に前記区間情報と共に前記退場ゲートからの退場の許可を得るために用いられる第２の入場情報を格納する第２の入場情報格納部とを有するＩＣチップを備える携帯端末の制御プログラムにおいて、
所定のアプリケーションを起動するアプリケーション起動手段と、
前記区間情報格納部から前記区間情報の読み出しを行う読み出し手段と、
前記アプリケーションの起動により位置情報を取得する位置情報取得手段と、
前記位置情報が前記区間情報で規定される区間内であるか否かの判定を行う区間内判定手段と、
前記区間内であると判定された場合には、前記第２の入場情報格納部に前記第２の入場情報の書き込みを行う書き込み手段とを備えることを特徴とする携帯端末の制御プログラム。
【発明の詳細な説明】
【技術分野】
【０００１】
入退場を管理する入退場管理システムで利用される携帯端末、携帯端末の制御方法及び携帯端末の制御プログラムに関する。
【背景技術】
【０００２】
例えば、駅構内への入退場を管理する入退場管理システムは、入退場口に設置されている自動改札機により入退場を管理する。この入退場管理システムでは、入場時に自動改札機に非接触式のＩＣカード（非接触ＩＣカード）がかざされることによって、所定の入場処理が行われ、非接触ＩＣカードに入場に関する情報（入場情報）が記憶される。そして、この入場管理システムでは、退場時に自動改札機に非接触ＩＣカードがかざされることによって、所定の退場処理が行われ、退場が許可されると共に、退場情報が書き込まれて、次回の入場を可能にする。
【０００３】
ここで、上述した非接触ＩＣカードに加えて、非接触式のＩＣチップが搭載された携帯端末機によっても、入退場管理システムを利用することもできる。
【０００４】
特許文献１には、乗換え時に自動改札機等で乗換えの検出を行わずに、複雑な経路で乗り換えを行った利用者に正しい料金を請求できないことがあるため、携帯端末機に搭載されたＧＰＳ機能等により携帯端末機の位置を特定して、利用者の移動経路を追跡し、この移動経路の情報を用いて、正しい料金を算出する入退場管理システムが記載されている。
【先行技術文献】
【特許文献】
【０００５】
【特許文献１】特開２００９−５４１５７号公報
【発明の概要】
【発明が解決しようとする課題】
【０００６】
しかし、上述した特許文献１記載の入退場管理システムは、入場側の自動改札機で利用者の入場が検知されていること（非接触ＩＣカードに入場情報が書き込まれていること）が前提である。よって、特許文献１では、入場時に自動改札機での読み取りに失敗した場合には、入場情報が記録されず、退場側の自動改札機での退場が許可されない。この場合には、例えば、ユーザは通常の自動改札機又は駅員用の専用端末によって、改めて入場情報の書き込み等の退場処理を行う必要がある。
【０００７】
このため、入場情報がない場合には、専用端末により退場処理を行わなければならない上に、専用端末の操作者である駅員に入場した駅や入場情報が書き込まれていない理由等の事情を説明する必要があり、退場するまでに多大な時間がかかっており、ユーザに多大な負担をかけていた。
【０００８】
また、このような入退場管理システムにおいては、入場情報が記録されているか否かの確認は専用端末を介して行うか、又は、退場側の自動改札機での退場操作（自動改札機に非接触ＩＣカードをかざす行為）を行って、退場側の自動改札機が退場を許可しないことから間接的にユーザが入場情報の記録を知る以外は確認できなかった。
【０００９】
したがって、入場情報が書き込まれていないことを自覚している利用者は、専用端末機により、退場処理を行うために専用端末を探さなければならない。
一方の入場情報がないことを自覚してない利用者は、退場側の自動改札機に退場操作を行って、退場が許可されないことを知った後に、専用端末を探して退場処理を行わなければならない。このために、入場情報のない非接触ＩＣカードを持つ利用者が一人でもいるだけで、自動改札機でスムースな退場処理が妨げられるために、多数の人が集うような例えばラッシュ時等においては、混雑の原因となっていた。
【００１０】
そこで、本発明は、上述した問題に鑑みてなされたものであって、入場処理が行われずに入場した場合においても、ユーザによる処理により退場を可能にする入退場管理システムに利用される携帯端末、携帯端末の制御方法及び携帯端末の制御プログラムを提供することを目的とする。
【課題を解決するための手段】
【００１１】
本発明に係る携帯端末は、上記課題を解決するために、所定の区間内の入場ゲート及び退場ゲートからの入退場を許可する区間情報が格納された区間情報格納部と、入場処理時に前記区間情報に基づいて前記入場ゲートへの入場が許可されることにより書き込まれ、退場処理時に前記区間情報と共に前記退場ゲートからの退場の許可を得るために用いられる第１の入場情報が格納される第１の入場情報格納部とを備えるＩＣカードと連携する携帯端末において、所定のアプリケーションを起動するアプリケーション起動部と、前記アプリケーションが起動された場合には、前記区間情報格納部から前記区間情報の読み出しを行う読み出し部と、前記アプリケーションが起動された場合には、位置情報を取得する位置情報取得部と、前記位置情報が前記区間情報で規定される区間内であるか否かの判定を行う区間内判定部と、前記位置情報が前記区間情報で規定される区間内である判定された場合には、前記ＩＣカードに備えられると共に、退場処理時に前記区間情報と共に前記退場ゲートからの退場の許可を得るために用いられる第２の入場情報が格納される第２の入場情報格納部に対して、前記第２の入場情報の書き込みを行う書き込み部とを備えることを特徴とする。
【００１２】
また、上記携帯端末は、表示部と、前記アプリケーション起動部により前記アプリケーションが起動した場合には、前記ＩＣカードをかざす旨を表示させるように前記表示部に要求する要求部とを備え、前記書き込み部は、前記要求部からの要求により前記表示部における表示がされると共に前記ＩＣカードがかざされたことを条件にして、前記第２の入場情報の書き込みを行うことを特徴とすることが好ましい。
【００１３】
また、本発明に係る携帯端末の制御方法は、上記課題を解決するために、所定の区間内の入場ゲート及び退場ゲートからの入退場を許可する区間情報が格納された区間情報格納部と、入場処理時に前記区間情報に基づいて前記入場ゲートへの入場が許可されることにより書き込まれ、退場処理時に前記区間情報と共に前記退場ゲートからの退場の許可を得るために用いられる第１の入場情報が格納される第１の入場情報格納部とを備えるＩＣカードと連携する携帯端末の制御方法において、所定のアプリケーションを起動するアプリケーション起動工程と、前記アプリケーションの起動により、前記区間情報格納部から前記区間情報の読み出しを行う読み出し工程と、前記アプリケーションの起動により、位置情報を取得する位置情報取得工程と、前記位置情報が前記区間情報で規定される区間内であるか否かの判定を行う区間内判定工程と、前記位置情報が前記区間情報で規定される区間内である判定された場合には、ＩＣカードに設けられると共に、退場処理時に前記区間情報と共に前記退場ゲートからの退場の許可を得るために用いられる第２の入場情報が格納される第２の入場情報格納部に対して、前記第２の入場情報の書き込みを行う書き込み工程とを備えることを特徴とする。
【００１４】
また、本発明に係る携帯端末の制御プログラムは、上記課題を解決するために、所定の区間内の入場ゲート及び退場ゲートからの入退場を許可する区間情報が格納された区間情報格納部と、入場処理時に前記区間情報に基づいて前記入場ゲートへの入場が許可されることにより書き込まれ、退場処理時に前記区間情報と共に前記退場ゲートからの退場の許可を得るために用いられる第１の入場情報が格納される第１の入場情報格納部とを備えるＩＣカードと連携する携帯端末の制御プログラムにおいて、所定のアプリケーションを起動するアプリケーション起動手段と、前記アプリケーションの起動により、前記区間情報格納部から前記区間情報の読み出しを行う読み出し手段と、前記アプリケーションの起動により、位置情報を取得する位置情報取得手段と、前記位置情報が前記区間情報で規定される区間内であるか否かの判定を行う区間内判定手段と、前記位置情報が前記区間情報で規定される区間内である判定された場合には、ＩＣカードに設けられると共に、退場処理時に前記区間情報と共に前記退場ゲートからの退場の許可を得るために用いられる第２の入場情報が格納される第２の入場情報格納部に対して、前記第２の入場情報の書き込みを行う書き込み手段とを備えることを特徴とする。
【００１５】
また、本発明に係る携帯端末は、上記課題を解決するために、所定の区間内の入場ゲート及び退場ゲートからの入退場を許可する区間情報が格納された区間情報格納部と、入場処理時に前記区間情報に基づいて前記入場ゲートへの入場が許可されることにより書き込まれ、退場処理時に前記区間情報と共に前記退場ゲートからの退場の許可を得るために用いられる第１の入場情報を格納する第１の入場情報格納部と、退場処理時に前記区間情報と共に前記退場ゲートからの退場の許可を得るために用いられる第２の入場情報を格納する第２の入場情報格納部とを有するＩＣチップと、所定のアプリケーションを起動するアプリケーション起動部と、前記区間情報格納部から前記区間情報の読み出しを行う読み出し部と、前記アプリケーションの起動により位置情報を取得する位置情報取得部と、前記位置情報が前記区間情報で規定される区間内であるか否かの判定を行う区間内判定部と、前記区間内であると判定された場合には、前記第２の入場情報格納部に前記第２の入場情報格納の書き込みを行う書き込み部とを備えることを特徴とする。
【００１６】
また、本発明に係る携帯端末の制御方法は、上記課題を解決するために、所定の区間内の入場ゲート及び退場ゲートからの入退場を許可する区間情報が格納された区間情報格納部と、入場処理時に前記区間情報に基づいて前記入場ゲートへの入場が許可されることにより書き込まれ、退場処理時に前記区間情報と共に前記退場ゲートからの退場の許可を得るために用いられる第１の入場情報を格納する第１の入場情報格納部と、退場処理時に前記区間情報と共に前記退場ゲートからの退場の許可を得るために用いられる第２の入場情報を格納する第２の入場情報格納部とを有するＩＣチップを備える携帯端末の制御方法において、所定のアプリケーションを起動するアプリケーション起動工程と、前記区間情報格納部から前記区間情報の読み出しを行う読み出し工程と、前記アプリケーションの起動により位置情報を取得する位置情報取得工程と、前記位置情報が前記区間情報で規定される区間内であるか否かの判定を行う区間内判定工程と、前記区間内であると判定された場合には、前記第２の入場情報格納部に前記第２の入場情報の書き込みを行う書き込み工程とを備えることを特徴とする。
【００１７】
また、本発明に係る携帯端末の制御プログラムは、上記課題を解決するために、所定の区間内の入場ゲート及び退場ゲートからの入退場を許可する区間情報が格納された区間情報格納部と、入場処理時に前記区間情報に基づいて前記入場ゲートへの入場が許可されることにより書き込まれ、退場処理時に前記区間情報と共に前記退場ゲートからの退場の許可を得るために用いられる第１の入場情報を格納する第１の入場情報格納部と、退場処理時に前記区間情報と共に前記退場ゲートからの退場の許可を得るために用いられる第２の入場情報を格納する第２の入場情報格納部とを有するＩＣチップを備える携帯端末の制御プログラムにおいて、所定のアプリケーションを起動するアプリケーション起動手段と、前記区間情報格納部から前記区間情報の読み出しを行う読み出し手段と、前記アプリケーションの起動により位置情報を取得する位置情報取得手段と、前記位置情報が前記区間情報で規定される区間内であるか否かの判定を行う区間内判定手段と、前記区間内であると判定された場合には、前記第２の入場情報格納部に前記第２の入場情報の書き込みを行う書き込み手段とを備えることを特徴とする。
【発明の効果】
【００１８】
入場処理が行われずに入場した場合においても、ユーザによる処理により退場を可能にする入退場管理システムで利用される携帯端末、携帯端末の制御方法及び携帯端末の制御プログラムを提供することができる。
【図面の簡単な説明】
【００１９】
【図１】入退場管理システムを示す概念図である。
【図２】ＩＣカードによる入退場管理システムの機能を示すブロック図である。
【図３】ＩＣチップを搭載した携帯電話機による入退場管理システムの機能を示すブロック図である。
【図４】入退場管理システムの利用を示すフローチャート図である。
【図５】ＩＣカードのフラグＢの設定を示す図である。
【図６】ＩＣチップを搭載した携帯電話機のフラグＢの設定を示す図である。
【発明を実施するための形態】
【００２０】
以下、本発明の本実施形態における駅構内への入退場を管理する入退場管理システムＳについて、図１から図３を用いて説明する。なお、本実施形態における入退場システムは、例えば、東日本旅客鉄道等でＳＵＩＣＡ（登録商標）として知られる乗車カードにより運用される鉄道等の公共交通機関の乗降管理を行うための非接触ＩＣカードの利用システム等に適用可能である。
入退場管理システムＳは、図１に示すように、入場する駅に設置される入場側自動改札機３と、退場する駅に設置されている退場側自動改札機４と、ＩＣカード１と、携帯電話機２Ａ（携帯端末）により構成される。
【００２１】
入場側自動改札機３は、図２に示すように、駅の入場口に設けられ、リーダ／ライタ部３１と、ゲート部３２と、フラグ設定部３３と、照合部３４とを有する。
【００２２】
リーダ／ライタ部３１は、ＩＣカード１に搭載されるＩＣチップ１１がかざされることにより、ＩＣチップ１１のメモリ１３内への情報の読み出しや情報の書き込みを行うことができるように構成される。
【００２３】
ゲート部３２は、ＩＣチップ１１のメモリ１３内の情報に基づいて、開放又は閉鎖する。ユーザは、ゲート部３２が開放することにより、入場側自動改札機３への通過が許可されて駅構内への入場が可能になる。また、ユーザは、ゲート部３２が閉鎖することにより、入場側自動改札機３への通過が禁止される。なお、図１（図中左側）に示す入場側自動改札機３は、ゲート部３２が開放した状態（通過を許可している状態）である。
【００２４】
フラグ設定部３３は、ＩＣチップ１１に格納される後述するフラグの設定を変更する。照合部３４は、ＩＣチップ１１に格納されるフラグの設定を確認して、ゲート部３２の開放や閉鎖を判断する。
【００２５】
退場側自動改札機４は、入場側自動改札機３に対応し駅の退場口に設けられ、入場側自動改札機３と同様にリーダ／ライタ部４１と、ゲート部４２と、フラグ設定部４３と、照合部４４とを有する。
【００２６】
リーダ／ライタ部４１は、ＩＣカード１に搭載されるＩＣチップ１１がかざされることにより、ＩＣチップ１１のメモリ１３内への情報の読み出しや情報の書き込みを行うことができるように構成される。
【００２７】
ゲート部４２は、ＩＣチップ１１のメモリ１３内の情報に基づいて、開放又は閉鎖する。ユーザは、ゲート部４２が開放することにより、退場側自動改札機４への通過が許可されて駅構内からの退場が可能になる。また、ユーザは、ゲート部４２が閉鎖することにより、入場側自動改札機３への通過が禁止される。なお、図１（図中右側）に示す退場側自動改札機４は、ゲート部４２が閉鎖した状態（通過を禁止している状態）である。
【００２８】
フラグ設定部４３は、ＩＣチップ１１に格納される後述するフラグの設定を変更する。照合部４４は、ＩＣチップ１１に格納されるフラグの設定を確認して、ゲート部４２の開放や閉鎖を判断する。
【００２９】
ＩＣカード１は、いわゆる、ＲＦＩＤ（Ｒａｄｉｏ  Ｆｒｅｑｕｅｎｃｙ  ＩＤｅｎｔｉｆｉｃａｔｉｏｎ）の一種であるＩＣチップ１１をカードに搭載した非接触のＩＣカードとして構成される。非接触のＩＣカードとは、入退場側自動改札機３、４のリーダ／ライタ部３１、４１等に接触することなく、メモリ１３内の情報のやり取りを可能にするＩＣカード１である。リーダ／ライタ部３１、４１等からの電波を受けて、その電波からの起電力を利用して動作し、反射する一部の電波に情報を載せることにより、情報のやり取りを行うように構成される。
なお、本実施形態においてＩＣカード１は、カードにＩＣチップ１１を搭載して構成したものを想定して説明を行ったがこれに限られない。ＩＣカード１は、カードの形状については問わない上に、ＩＣチップ１１を搭載可能な媒体であれば、どのような形態で構成しても良い。
【００３０】
ＩＣチップ１１は、ＣＰＵ１２と、メモリ１３と、アンテナ部１４とを有する（ＣＰＵ１２とメモリ１３によりＩＣチップ１１として構成される。）。メモリ１３には、自動改札機とのやり取りに必要な情報（後述するフラグ設定等）が格納される。アンテナ部１４は、入退場側自動改札機３、４のゲート部３２、４２及び携帯電話機２Ａのリーダ／ライタ部２３からの電波を送受信可能に構成される。
【００３１】
携帯電話機２Ａは、図１に示すように、表示部２０１と操作部２０２とを有する。また、携帯電話機２Ａは、図２に示すように、ＣＰＵ２１と、メモリ２２と、リーダ／ライタ部２３と、アンテナ部２４とを有する。
【００３２】
ＣＰＵ２１は、携帯電話機２Ａの各種機能（例えば、メール機能、通話機能及びＩＣチップ１１のフラグの書き換え機能）を制御する。メモリ２２は、各種機能を実行するためのアプリケーション等が格納される。
【００３３】
リーダ／ライタ部２３は、リードとライト、すなわち、ＩＣチップ１１からの情報の読み出しと書き込みに関する機能が実行された状態（所定のアプリケーションが起動した状態）において、ＩＣカード１がリーダ／ライタ部２３にかざされることにより、ＩＣカード１のＩＣチップ１１に電波を送信する。そして、リーダ／ライタ部２３はＩＣチップ１１から反射された電波を受信して、この電波に載せられたＩＣチップ１１の情報を読み出すことによりＩＣカード１との情報のやり取りを行う。
【００３４】
アンテナ部２４は、図示しない基地局や衛星５から例えば、位置情報等の情報を受信可能に構成される。
【００３５】
携帯電話機２Ａは、図１に示すように、アンテナ部２４により受信された衛星５からの情報に基づいて、携帯電話機２の現在位置（位置）を測位する。
なお、本実施形態において、携帯電話機２Ａの位置の測位は、ＧＰＳを利用して行うが、これに限られない。携帯電話機２Ａの位置の測位は、例えば、携帯電話機２Ａと通信を行う基地局との位置関係から割り出すように構成しても良い。
【００３６】
また、リーダ／ライタ部２３は、ＩＣチップ１１に所定のコマンドを送信することによりＩＣチップ１１からの応答により、ＩＣチップ１１に格納される情報を読み出したり、書き込んだりすることができる。
【００３７】
また、本実施形態においては、図１に示すように、ＩＣカード１に代えて、ＩＣチップ１１を搭載した携帯電話機２Ｂにより入退場管理システムＳを利用することができる。つまり、携帯電話機２Ｂは、図３に示すように、上述した携帯電話機２Ａの構成に加えて、ＩＣチップ１１に関する機能を有する。この携帯電話機２Ｂでは、リードとライト、すなわち、ＩＣチップ１１からの情報の読み出しと書き込みに関する機能を実行することにより、ＩＣカード１をかざす等の操作をすることなく、ＩＣチップ１１と情報のやり取りを行うことができる。
【００３８】
なお、本実施形態におけるＩＣチップ１１を搭載した携帯電話機２Ｂは、例えば、東日本旅客鉄道等でモバイルＳＵＩＣＡ（登録商標）として知られる携帯電話機をカード型のＩＣカード１と同様に運用される非接触ＩＣカードシステム等に適用可能である。
【００３９】
以上のように構成される入退場管理システムＳは、入場情報がない状態で駅構内にいた場合であっても、退場可能な入場情報をＩＣチップ１１に書き込むことができ、書き込まれた入場情報に基づいて、退場側自動改札機４からの退場が許可される機能を有する。
【００４０】
入退場管理システムＳの入退場管理にＩＣカード１を用いる場合には、上述した構成に以下の構成を加えることにより、所望の機能を発揮することができる。
【００４１】
ＩＣカード１のメモリ１３には、図２に示すように、区間情報格納部１５と、フラグＡ格納部１６（第１の入場情報格納部）と、フラグＢ格納部１７（第２の入場情報格納部）の格納領域が設けられる。
【００４２】
区間情報格納部１５には、所定の区間内の入場側自動改札機３（入場ゲート）及び退場側自動改札機４（退場ゲート）からの入退場を許可する区間情報が格納される。区間情報は、本実施形態においては、例えば、「○○駅から○○駅まで」という利用可能な駅の区間（場所的な情報）の他に、使用期間の情報も含む情報である。また、区間情報は、入退場管理システムＳの使用時には区間情報格納部１５に格納されている。
【００４３】
フラグＡ格納部１６（第１の入場情報格納部）には、入場処理時に区間情報に基づいて入場側自動改札機３（入場ゲート）への入場が許可されることにより書き込まれ、退場処理時に区間情報と共に退場側自動改札機４（退場ゲート）からの退場の許可を得るために用いられるフラグＡ（第１の入場情報）の設定が格納される。
【００４４】
フラグＡの設定とは、「０」と「１」により識別される。フラグＡの設定が「０」の場合には、初期状態、すなわち、フラグＡが設定されていない状態となる。フラグＡの設定が「１」の場合には、フラグＡが設定されている状態となる。
【００４５】
フラグＢ格納部１７（第２の入場情報格納部）には、退場処理時に区間情報と共に退場側自動改札機４（退場ゲート）からの退場の許可を得るために用いられるフラグＢの設定（第２の入場情報）が格納される。フラグＢの設定とは、「０」と「１」により識別され、フラグＢの設定が「０」の場合には、初期状態、すなわち、フラグＢが設定されていない状態となり、フラグＢの設定が「１」の場合には、フラグＢが設定されている状態となる。
なお、本実施形態において、入場情報はフラグを用いたがこれに限られず、ＩＣチップ１１と自動改札機とのやり取りが可能であり、入退場を管理できる情報であれば良い。
【００４６】
また、携帯電話機２（携帯端末）には、図２に示すように、ＣＰＵ２１にアプリケーション起動部２５と、位置情報取得部２６と、位置判定部２７（区間内判定部）とを備える。
なお、本実施形態においては、携帯電話機２を用いたがこれに限られず、例えば、ノートパソコン等の携帯端末であれば良い。
【００４７】
アプリケーション起動部２５は、所定のアプリケーションを起動する。本実施形態においては、メモリ１３に格納される定期アプリを起動する。定期アプリとは、ＩＣカード型や携帯電話搭載型の定期の種別毎に形成され、種別毎に、フラグＢの設定変更の手順を示すアプリケーションである。携帯電話機２Ａは、定期アプリが起動されることにより、例えば、位置情報の取得や区間内であるか否かの判定やＩＣカード１をリーダ／ライタ部２３にかざす旨を利用者に通知する等のフラグＢの設定変更に必要な処理を行う。
【００４８】
位置情報取得部２６は、アプリケーションの起動により、位置情報を取得する。具体的には、位置情報取得部２６は、ＧＰＳ機能を利用して、アンテナ部２４により衛星５からの情報を受信して、この受信した情報から自機の位置が割り出された緯度と経度の座標情報を位置情報として取得する。また、位置情報取得部２６は、アンテナ部２４から携帯電話網の基地局の電波を受信して、この受信した電波から自機の位置が割り出された緯度と経度の情報を位置情報として取得するようにしても良い。
【００４９】
位置判定部２７（区間内判定部）は、位置情報が区間情報で規定される区間内であるか否かの判定を行う。具体的には、位置判定部２７は、位置情報取得部２６により取得された位置情報が区間情報に記憶される利用可能な駅の区間内（線路で結ばれた駅間の緯度経度における座標上）に位置しているかの判定を行う。
【００５０】
また、携帯電話機２のリーダ／ライタ部２３（読み出し部）は、アプリケーションの起動により、区間情報格納部１５から区間情報の読み出しを行う。
【００５１】
また、リーダ／ライタ部２３（書き込み部）は、位置情報が区間情報で規定される区間内である判定された場合には、退場処理時に区間情報と共に退場側自動改札機４（退場ゲート）からの退場の許可を得るために用いられるフラグＢの設定（第２の入場情報）が格納されるフラグＢ格納部１７（第２の入場情報格納部）に対して、フラグＢの設定の変更（第２の入場情報の書き込み）をする。
【００５２】
また、入場側自動改札機３（入場ゲート）は、例えば、リーダ／ライタ部３１にＩＣカード１をタッチする（かざす）等の入場処理がされることにより、ＩＣカード１の区間情報を判断し、入場の許可（本実施形態においては、ゲート部の開放）を行う。そして、リーダ／ライタ部３１は、入場が許可されることによりＩＣカード１のフラグＡ格納部１６（第１の入場情報格納部）に格納されるフラグＡの書き込み（フラグＡの設定変更）を行う。
【００５３】
また、退場側自動改札機４（退場ゲート）は、例えば、リーダ／ライタ部２３にＩＣカード１をタッチする等の退場処理がされることにより、ＩＣカード１の区間情報、フラグＡの設定及びフラグＢの設定を判断し、退場の許可（本実施形態においては、ゲート部の開放）を行う。
つまり、退場側自動改札機４（退場ゲート）は、ＩＣカード１の区間情報内に位置している状態であり、フラグＡの設定が設定されている状態あるいはフラグＢの設定が設定されている状態である場合には、退場を許可する。
【００５４】
このように構成される入退場管理システムＳに利用される携帯電話機２Ａ（携帯端末）において、アプリケーション起動部２５は、所定のアプリケーションを起動する。所定のアプリケーションが起動された場合には、リーダ／ライタ部２３（読み出し部）は、ＩＣカード１の区間情報格納部１５に格納される区間情報を読み出す。また、所定のアプリケーションが起動された場合には、位置情報取得部２６は、携帯電話機２Ａの位置情報を取得する。
【００５５】
そして、位置判定部２７（区間内判定部）は、位置情報取得部２６により取得された位置情報が区間情報格納部１５に区間情報に規定される区間内であるか否かの判定を行う。
【００５６】
また、位置判定部２７は、位置情報が区間情報に規定される区間内であると判定した場合には、フラグＢの設定（第２の入場情報の書き込み）を行う。その結果、ユーザは、退場側自動改札機４に対して退場処理（例えば、退場側自動改札機４のリーダ／ライタ部２３にタッチする。）を行うことで、退場側自動改札機４（退場ゲート）からの退場が許可される。
【００５７】
したがって、ユーザは、例えば、入場処理に失敗した等により入場処理が行われずに、駅構内に入ってしまった場合においても、携帯電話機２Ａを用いて退場処理を行うことで、退場側自動改札機４（退場ゲート）からの退場が許可されるフラグＢの設定（第２の入場情報の取得）を行うことができる。このことにより、ユーザは、例えば、電車での移動中にフラグＢの設定を行うことにより、専用端末等により、入場情報を書き込む必要がないために、退場を速やかに行うことができる。
【００５８】
さらに、ユーザは、例えば、電車での移動中にフラグＢの設定を行うことにより、より速やかに駅構内から退場することができる。このことにより、駅側では、専用端末による入場情報の取得を減らすことができ、専用端末の利用による混雑を緩和することができる。その結果としては、駅の利用者のクレームを減らす上に、駅の利用者のストレスの発生を抑止する効果を得ることができる。
【００５９】
また、携帯電話機２Ａにおいては、ユーザがフラグＡの設定（第１の入場情報の取得）が行われていないと自覚していない時であっても、上述した処理を行うことにより、フラグＢが設定されるために、退場側自動改札機４（退場ゲート）で退場が許可されないことがなくなるために、退場側自動改札機４（退場ゲート）での混雑を緩和することができる。携帯電話機２Ａにおいては、例えば、ラッシュ時等の多数の人が集中して混雑している場合において、入場情報が取得できていないことにより退場が許可されないことに起因する退場時の混雑を緩和することができる。
【００６０】
また、携帯電話機２Ａは、要求部３０を備える。要求部３０は、アプリケーション起動部２５によりアプリケーションが起動した場合には、ＩＣカード１をかざす旨を表示させるように表示部２０１に要求する。また、要求部３０は、表示部２０１に対して、例えば、処理が完了した旨の表示の要求等の各種表示の要求を行う。
【００６１】
また、書き込み部２３は、要求部３０からの要求により表示部２０１における表示がされると共にＩＣカード１がかざされたことを条件にして、第２の入場情報の書き込みを行う。
【００６２】
したがって、携帯電話機２Ａにおいては、アプリケーションを起動することにより、要求部３０からの要求により、表示部２０１は、例えば、「カードをかざして下さい。」等のＩＣカード１をかざす旨の表示をする。この表示に従って、ユーザは、ＩＣカード１をかざすことにより、フラグＢの設定（第２の入場情報の書き込み）が行われる。
【００６３】
このように携帯電話機２Ａを構成することにより、ユーザは、リーダ／ライタ部２３による読み取りのタイミングを知ることができるために、速やかにフラグＢの設定（第２の入場情報の取得）を行うことができる。ユーザは、退場前に事前にフラグＢの設定を行っておけば、滞りなく退場側自動改札機４（退場ゲート）から退場することができる。
【００６４】
また、上述した入退場管理システムＳの入退場管理にＩＣカード１を用いる場合に代えて、ＩＣチップ１１を搭載した携帯電話機２Ｂを入退場管理システムＳの入退場管理に用いる場合には、上述した構成に代えて以下の構成により、所望の機能を発揮することができる。
【００６５】
携帯電話機２Ｂには、ＩＣチップ１１を備える。このＩＣチップ１１には、区間情報格納部１５と、フラグＡ格納部１６（第１の入場情報格納部）と、フラグＢ格納部１７（第２の入場情報格納部）とを有する。
区間情報格納部１５には、区画情報が格納される。フラグＡ格納部１６（第１の入場情報格納部）には、フラグＡ（第１の入場情報）が設定（格納）される。フラグＢ格納部１７（第２の入場情報格納部）には、フラグＢ（第２の入場情報）が設定（格納）される。
【００６６】
このように構成される入退場管理システムＳに利用される携帯電話機２Ｂ（携帯端末）において、アプリケーション起動部２５は、所定のアプリケーションを起動する。所定のアプリケーションが起動された場合には、ＩＣチップ１１の区間情報格納部１５に格納される区間情報が読み出される。また、所定のアプリケーションが起動された場合には、位置情報取得部２６は、位置情報が取得される。
【００６７】
そして、位置判定部２７（区間内判定部）は、区間情報に規定される区間内であるか否かの判定を行う。位置判定部２７は、位置情報が区間情報に規定される区間内であると判定した場合には、フラグＢの設定（第２の入場情報の書き込み）を行う。その結果、ユーザは、退場側自動改札機４（退場ゲート）に対して退場処理（例えば、退場側自動改札機４のリーダ／ライタ部２３にタッチする。）が行われることによって、退場側自動改札機４（退場ゲート）からの退場が許可される。
【００６８】
したがって、ユーザは、例えば、入場処理に失敗した等により入場処理が行われずに、駅構内に入ってしまった場合においても、携帯電話機２Ｂを用いて退場処理を行うことにより、退場側自動改札機４（退場ゲート）からの退場が許可されるフラグＢの設定（第２の入場情報の取得）を行うことができる。このことにより、ユーザは、例えば、電車での移動中にフラグＢの設定を行うことにより、専用端末等により、入場情報を書き込む必要がないために、退場を速やかに行うことができる。
【００６９】
また、携帯電話機２ＢにはＩＣチップ１１が搭載されていることで、上述したＩＣカード１を利用する場合に比べて、アプリケーションを起動するだけで、フラグＢの設定を行うことができる。このため、ユーザは、ＩＣカード１をかざす等の所定の操作をする必要がなくなると共に、個別管理が不要になる。
【００７０】
また、携帯電話機２Ａ、２Ｂは、フラグ判定部２８と、フラグＢ設定部２９とを備える。フラグ判定部２８は、フラグＡ格納部１６とフラグＢ格納部１７の各フラグの設定を判定（確認）する。フラグＢ設定部２９は、フラグＢ格納部１７へフラグＢの設定（フラグＢの変更）を行う。
【００７１】
次に、本実施形態における入退場管理システムＳの利用について、図４から図６を用いながら説明する。
本実施形態において入退場管理システムＳは、例えば、鉄道等の公共交通機関において、通勤や通学等で特定の区間を繰り返し、乗車する乗客を対象として一定の期間を区切って発行される乗車券（定期）を使用した場合の入退場管理システムＳについて、説明する。
【００７２】
また、以下において、本実施形態で使用されるＩＣカード型の定期券（定期）をＩＣカード定期といい、ＩＣチップ１１を搭載した携帯電話機型の定期をモバイル定期という。
【００７３】
本実施形態における入退場管理システムＳは、図４に示すように、ステップＳＴ１において、改札（入場側自動改札機３）でエラーになったか否かを判断する。
【００７４】
入場側自動改札機３でのエラーとは、入場側自動改札機３で所定の入場処理を行うことができずに、ＩＣチップ１１に入場情報が書き込まれずに、例えば、ゲート部３２が閉鎖した状態で駅構内への入場が許可されていない状態となり、ＩＣチップ１１が退場可能なものであると認識されない状態である。一方、入場側自動改札機３でエラーがない場合は、入場処理が行われることにより、ＩＣチップ１１に入場情報が書き込まれ、ゲート部３２が開放した状態となり入場側自動改札機３への入場が許可されると共に、退場側自動改札機４において退場処理が行われ、ゲート部４２が開放した状態となり退場側自動改札機４からの退場も許可される。
【００７５】
また、所定の入場処理とは、入場側自動改札機３のリーダ／ライタ部３１からＩＣチップ１１に入場情報が書き込まれた状態となることであり、例えば、リーダ／ライタ部３１にＩＣチップ１１を近接（タッチ）させて、照合部３４によりＩＣチップ１１の認識及びフラグ設定部３３により入場情報の書き込みを行うという操作を伴うものである。
【００７６】
所定の退場処理とは、例えば、リーダ／ライタ部３１にＩＣチップ１１を近接（タッチ）させて、照合部４４によりＩＣチップ１１の認識及び入場情報の照合を行う処理である。そして、フラグ設定部４３によりフラグのリセット（Ａ＝０、Ｂ＝０）がされる。
【００７７】
また、入場情報の書き込みとは、本実施形態においては、ＩＣチップ１１のメモリ１３内に格納されるフラグの設定（値）が変更されることにより行われる。具体的には、フラグは、「０」か「１」に変更されることをもって、フラグの設定がなされる。また、初期状態においては「０」に設定されている。この状態は、フラグの設定がされていない状態（入場情報が書き込まれていない状態）であり、フラグが設定されることにより「１」となる。
【００７８】
ステップＳＴ１において、駅の改札（入場側自動改札機３）では、改札（入場側自動改札機３）で、エラーにならなかった場合（Ｎ）には、ステップＳＴ２へ進む。この状態は、ＩＣチップ１１には入場情報が書き込まれた状態である。
また、改札（入場側自動改札機３）で、エラーになった場合（Ｙ）には、ステップＳＴ３へ進む。
【００７９】
ステップＳＴ２において、退場側自動改札機４では、退場処理が行われることにより、退場側自動改札機４の通過が許容され、処理が終了する。具体的には、携帯電話機２Ａ、２Ｂは、ユーザによる退場側自動改札機４への退場処理時に、リーダ／ライタ部４１からの情報に基づいて、照合部４４によりフラグの照合が行われ、ゲート部４２が開放すると共に、フラグ設定部３３によりフラグＡが１から０に変更される。これにより、フラグは初期状態（Ａ＝０、Ｂ＝０）に戻るために、再入場が可能になる。
したがって、ユーザは、入場側自動改札機３での入場処理がエラーなく行われたため、退場側自動改札機４での退場が許可された状態となっており、通常通り改札（退場側自動改札機）を通過することができる。
【００８０】
ステップＳＴ３において、アプリケーション起動部２５は、定期アプリの起動を行う。ステップＳＴ１において入場側自動改札機３での入場処理が行われておらず、退場側自動改札機４からの退場が許可されない（駅構内から出ることができない）ために、ユーザにより操作によりアプリケーション起動部２５は、所定のアプリケーション（入退場管理に関するアプリケーション）を起動する。
【００８１】
本実施形態において、ＩＣカード定期の場合には、図５に示すように、ＩＣカード定期用のアプリケーションを起動する。また、モバイル定期の場合には、図６に示すように、モバイル定期用のアプリケーションを起動する。なお、アプリケーション起動部２５は、アプリケーションが定期に使用するＩＣチップ１１を搭載している等の携帯電話機２の仕様を確認して、用途に応じて、所定のアプリケーションを起動させるように動作するようにしても良い。
【００８２】
ステップＳＴ４において、位置情報取得部２６は、位置情報の確認を行う。具体的には、位置情報取得部２６は、アプリケーションが起動されたことにより、アンテナ部２４を介して衛星５からの情報又は基地局からの電波により、携帯電話機２の位置を検知（測位）する。この際、表示部２０１では、図５及び図６に示すように、位置情報を確認している旨（「位置情報を確認中」）が表示される。
そして、本工程ＳＴ４においては、ＩＣカード定期の場合には、ステップＳＴ５に進み、モバイル定期の場合には、ステップＳＴ７に進む。
【００８３】
ステップＳＴ５において、携帯電話機２Ａでは、ユーザがＩＣカード１を携帯（携帯電話機２Ａ）にかざしたか否かの判定が行われる。具体的には、携帯電話機２Ａは、図５に示すように、表示部２０１に、ＩＣカード１をかざす旨の表示（「カードをかざして下さい。」）が行われ、ユーザにリーダ／ライタ部２３により区間情報等の情報を読み出す準備ができたことが喚起される。
本工程ＳＴ５においては、ＩＣカード１が携帯にかざされていない場合（Ｎ）にはステップＳＴ６に進み、ＩＣカード１が携帯にかざされた場合（Ｙ）にはステップＳＴ７に進む。
【００８４】
ステップＳＴ６において、駅員にて定期のフラグＡを更新し、処理が終了する。駅員に定期のフラグＡの更新を依頼して、ＩＣカード１内のフラグＡを更新することで、入場情報がＩＣカード１に登録されることになるため、清算等を行うことにより、退場側自動改札機４からの退場が許可され、駅構内から出ることができる。
【００８５】
ステップＳＴ７において、位置判定部２７は、定期区間内か否かの判定を行う。具体的には、位置判定部２７は、位置情報取得部２６により取得された位置情報と区間情報に規定される区間とを比較して、当該位置情報が区間内に属している否かの判定を行う。この際、ＩＣカード定期の場合には、表示部２０１では、例えば、図５に示すように、定期区間の表示（「定期範囲は○○駅・○○駅」）を行う。
【００８６】
本工程ＳＴ７において、定期区間外と判定された場合（Ｎ）にはステップＳＴ６へ進み、定期区間内と判定された場合（Ｙ）にはステップＳＴ８へ進む。本工程ＳＴ７において、定期区間外と判定された場合には、表示部２０１では、要求部３０からの要求により図５及び６に示すように、ユーザに対して、定期区間外である旨及び対処の方法の表示（「定期券外です・駅係員に申し出て下さい」）が行われる。
【００８７】
ステップＳＴ８において、フラグ設定変更を行い、ステップＳＴ９へ進む。具体的には、フラグＢ設定部２９により、フラグＢの設定を変更（「０」から「１」に変更）する。
本工程ＳＴ８においては、定期の種別がＩＣカード定期の場合には、例えば、要求部３０からの要求により表示部２０１にＩＣカード１をかざす旨の表示がなされ、ユーザは、ＩＣカード１を携帯電話機２Ａにかざすことにより、フラグＢ設定部２９によりフラグの更新が行われる。
【００８８】
また、表示部２０１においては、ＩＣカード定期の場合には、図５に示すように、ＩＣカードをかざす旨の表示（「定期区間内です・カードをかざしてください」）が行われる。そして、ＩＣカードがかざされることにより、フラグＢの設定が行われ、要求部３０からの要求により、フラグが設定された旨の表示（「乗車記録を記録しました」）が行われる。
一方のモバイル定期の場合には、図６に示すように、フラグの設定Ｂの設定が行われ、要求部３０からの要求により、定期区間内である旨及びフラグの設定を行った旨の表示（「定期内です・乗車記録を記録しました」）が行われる。
【００８９】
ステップＳＴ９において、フラグ判定部２８は、駅の改札（退場側自動改札機４）において定期のフラグの確認が行われる。フラグ判定部２８は、フラグがＡ＝０、かつ、Ｂ＝１でないと確認された場合（Ｎ）には、ステップＳＴ６に進む。また、フラグがＡ＝０、かつ、Ｂ＝１でないと確認された場合（Ｙ）には、ステップＳＴ１０に進む。なお、フラグがＡ＝０である状態とは、入場側自動改札機３において、入場操作がされておらず、フラグＡが設定されていない状態である。また、フラグがＢ＝１である状態とは、携帯電話機２により書き込み処理が行われ、フラグＢの設定がされている状態である。
【００９０】
ステップＳＴ１０において、退場側自動改札機４は、退場処理が行われることにより、改札（退場側自動改札機４）通過時にフラグＢをクリアし、処理が終了する。具体的には、携帯電話機２Ａ、２Ｂは、ユーザによる退場側自動改札機４への退場処理時に、リーダ／ライタ部４１からの情報に基づいて、照合部４４によりフラグの照合が行われ、ゲート部４２が開放すると共に、フラグ設定部３３によりフラグＡが１から０に変更される。これにより、フラグは初期状態（Ａ＝０、Ｂ＝０）に戻るために、再入場が可能になる。
【００９１】
したがって、入場処理が行われずに入場した場合においても、ユーザによる処理により退場側自動改札機４から退場することができる。
【００９２】
以上、本発明に係る入退場管理システムＳの好適な実施形態について説明したが、本発明に係る入退場管理システムＳは、上述した実施形態に限定されることなく種々の形態で実施することができる。
【００９３】
なお、本実施形態においては、第１の入場情報と第２の入場情報は、フラグＡ、フラグＢとして構成したがこれに限られない。例えば、第２の情報と第１の情報を同一の情報（第２の情報をフラグＢとして設けずに、フラグＡとして設ける。）として構成しても良い。
【００９４】
また、本実施形態においては、携帯電話機２の位置情報を第２の入場情報を書き込みの条件にしているが、これに限れない。利用者が利用可能な区間内にいることを推定することができれば良く、例えば、入場から所定の時間内であることを条件としても良い。
【００９５】
また、本実施形態において、ＩＣチップ１１は、退場処理に際して、退場側自動改札機４からのメモリ１３の読み出しに対して、区間情報とフラグＡ（第１の入場情報）の設定とフラグＢ（第２の入場情報）の設定とを応答していたがこれに限られない。ＩＣチップ１１は、例えば、フラグＢ（第２の入場情報）の設定がされていることを条件にして、フラグＡ（第１の入場情報）の設定がされている応答をするように構成しても良い。このように構成することにより、退場側自動改札機４の構成を全く変更する必要がなく、本発明における入退場管理システムの運用を図ることができる。
【符号の説明】
【００９６】
１            ＩＣカード
２Ａ、２Ｂ    携帯電話機（携帯端末）
１５          区間情報格納部
１６          フラグＡ格納部（第１の入場情報格納部）
１７          フラグＢ格納部（第２の入場情報格納部）
２５          アプリケーション起動部
２３          リーダ／ライタ部（読み出し部、書き込み部）
２６          位置情報取得部
２７          位置判定部（区間内判定部）
【図１】
2011113284.tif 000003
【図２】
2011113284.tif 000004
【図３】
2011113284.tif 000005
【図４】
2011113284.tif 000006
【図５】
2011113284.tif 000007
【図６】
2011113284.tif 000008